(57)【要約】【課題】光ビーコン車載機の誤認識を抑制する。【解決手段】ケース１２内に光通信素子１３が収容された光ビーコン車載機１０であって、ケース１２は、光通信素子１３と対向する対向壁を有し、対向壁は、少なくとも光通信素子１３と対向する領域に、光通信素子１３との光通信に使用される光を透過する透光部２７を有しており、対向壁のうち透光部２７と異なる領域には、光通信素子１３との光通信に使用される光の透光性が透光部２７よりも低い遮光部２９を有する。【選択図】図４
2017152828.tif 000002
【特許請求の範囲】
【請求項１】
ケース内に光通信素子が収容された光ビーコン車載機であって、
前記ケースは、前記光通信素子と対向する対向壁を有し、
前記対向壁は、少なくとも前記光通信素子と対向する領域に、前記光通信素子との光通信に使用される光を透過する透光部を有しており、
前記対向壁のうち前記透光部と異なる領域には、前記光通信素子との光通信に使用される光の透光性が前記透光部よりも低い透光性制限部を有する、光ビーコン車載機。
【請求項２】
前記透光性制限部は、前記光通信素子との光通信に使用される光を透過しない材料からなる、請求項１に記載の光ビーコン車載機。
【請求項３】
前記ケースは、前記光通信素子が実装された回路基板を収容するロアケースと、前記ロアケースに組み付けられて前記光通信素子を覆うと共に、前記対向壁を有するアッパーケースと、を備え、
前記ロアケースは、前記光通信素子との光通信に使用される光を透過しない材料からなる、請求項１または請求項２に記載の光ビーコン車載機。
【請求項４】
前記対向壁には、前記光通信素子と対向する部分において前記光通信素子側に凹んだ凹部が形成されており、
前記凹部の底部が前記透光部とされており、
前記凹部の側部は前記透光性制限部とされている、請求項１から請求項３のいずれか一項に記載の光ビーコン車載機。
【請求項５】
前記透光性制限部には、前記対向壁の表面に、前記光通信素子との光通信に使用される光を乱反射させる乱反射部が設けられている、請求項１から請求項４のいずれか一項に記載の光ビーコン車載機。
【請求項６】
ケース内に光通信素子が収容された光ビーコン車載機の製造方法であって、
前記光通信素子との光通信に使用される光を透過する透光性樹脂と、前記光通信素子との光通信に使用される光の透光性が前記透光性樹脂より低い透光性制限樹脂と、を二色成形することによって、前記透光性樹脂からなる透光部と、前記透光性制限樹脂からなる透光性制限部と、を備えた前記ケースを形成する、光ビーコン車載機の製造方法。
【発明の詳細な説明】
【技術分野】
【０００１】
本明細書に開示された技術は、ケース内に光通信素子が収容された光ビーコン車載機、及び光ビーコン車載機の製造方法に関する。
【背景技術】
【０００２】
従来、道路に設置された光ビーコンと光通信可能な光ビーコン車載機として、特開２０１３−３４１２５号公報に記載のものが知られている。この光ビーコン車載機は、光ビーコンに光信号を送信する発光部と、光ビーコンから送信される光信号を受信する受光部と、発光部及び受光部を収容する筐体と、を備える。筐体のうち、受光部及び発光部と対向する壁部は、光通信に用いる波長の光を透過することができるようになっている。
【先行技術文献】
【特許文献】
【０００３】
【特許文献１】特開２０１３−３４１２５号公報
【発明の概要】
【発明が解決しようとする課題】
【０００４】
しかしながら上記の構成によると、通信相手である光ビーコン以外から発せられた光が、ケース内に入光する場合がある。すると、光ビーコン以外から発せられた光を受光部が受信してしまい、光ビーコン車載機が誤認識することが懸念される。
【０００５】
本明細書に開示された技術は上記のような事情に基づいて完成されたものであって、光ビーコン車載機の誤認識を抑制することを目的とする。
【課題を解決するための手段】
【０００６】
本明細書に開示された技術は、ケース内に光通信素子が収容された光ビーコン車載機であって、前記ケースは、前記光通信素子と対向する対向壁を有し、前記対向壁は、少なくとも前記光通信素子と対向する領域に、前記光通信素子との光通信に使用される光を透過する透光部を有しており、前記対向壁のうち前記透光部と異なる領域には、前記光通信素子との光通信に使用される光の透光性が前記透光部よりも低い透光性制限部を有する。
【０００７】
上記の構成によれば、透光部を透過した光は光通信素子に到達するので、光通信を行うことができる。一方、透光性制限部においては、透光部に比べて、光通信に使用される光がケース内に入射することが抑制される。これにより、透光部と異なる部分からケース内に光が入射することを抑制することができるので、光通信素子が誤認識することを抑制することができる。
【０００８】
本明細書に開示された技術の実施態様としては以下の態様が好ましい。
【０００９】
前記透光性制限部は、前記光通信素子との光通信に使用される光を透過しない材料からなることが好ましい。
【００１０】
透光部と異なる部分からケース内に光が入射することを確実に抑制することができるので、光通信素子が誤認識することを確実に抑制することができる。
【００１１】
また、光通信素子との光通信に使用される光を透過する材料は、上記の光を透過しない材料に比べて高価である。このため、上記の構成によれば、光通信素子との光通信に使用される光を透過する材料でケース全体を形成する場合に比べて、製造コストを低減することができる。
【００１２】
前記ケースは、前記光通信素子が実装された回路基板を収容するロアケースと、前記ロアケースに組み付けられて前記光通信素子を覆うと共に、前記対向壁を有するアッパーケースと、を備え、前記ロアケースは、前記光通信素子との光通信に使用される光を透過しない材料からなることが好ましい。
【００１３】
上記の構成によれば、光通信素子との光通信に使用される光を透過する材料でケース全体を形成する場合に比べて、製造コストを低減することができる。
【００１４】
前記対向壁には、前記光通信素子と対向する部分において前記光通信素子側に凹んだ凹部が形成されており、前記凹部の底部が前記透光部とされており、前記凹部の側部は前記透光性制限部とされていることが好ましい。
【００１５】
上記の構成によれば、凹部の側部が透光性制限部とされているので、透光部と透光性制限部とが同一面上に形成された場合に比べて、ケース内に入射される光を、一層制限することができる。これにより、光通信素子の誤認識を一層抑制することができる。
【００１６】
前記透光性制限部には、前記対向壁の表面に、前記光通信素子との光通信に使用される光を乱反射させる乱反射部が設けられている。
【００１７】
上記の構成によれば、乱反射部において、光通信素子との光通信に使用される光が乱反射するので、透光性制限部を透過する光の透光性を確実に低くすることができる。これにより光ビーコン車載機の誤認識を抑制することができる。
【００１８】
また、本明細書に開示された技術は、ケース内に光通信素子が収容された光ビーコン車載機の製造方法であって、前記光通信素子との光通信に使用される光を透過する透光性樹脂と、前記光通信素子との光通信に使用される光の透光性が前記透光性樹脂より低い透光性制限樹脂と、を二色成形することによって、前記透光性樹脂からなる透光部と、前記透光性制限樹脂からなる透光性制限部と、を備えた前記ケースを形成する工程を含む。
【００１９】
上記の構成によれば、透光性樹脂からなる透光部と、透光性制限樹脂からなる透光性制限部とを、別々に形成し、透光部と透光性制限部とを接着等によって固定する場合に比べて、二色成形により１つの工程でケースを形成することができるので、製造工数を減らすことができる。これにより、製造コストを低減することができる。
【発明の効果】
【００２０】
本明細書に開示された技術によれば、光ビーコン車載機の誤認識を抑制することができる。
【図面の簡単な説明】
【００２１】
【図１】実施形態１に係る光ビーコン車載機を示す分解斜視図
【図２】光ビーコン車載機を示す正面図
【図３】図２におけるＩＩＩ−ＩＩＩ線断面図
【図４】図２におけるＩＶ−ＩＶ線断面図
【図５】光ビーコン車載機を示す側面図
【図６】図５におけるＶＩ−ＶＩ線断面図
【図７】実施形態２に係る光ビーコン車載機を示す分解斜視図
【図８】光ビーコン車載機を示す正面図
【図９】図８におけるＩＸ−ＩＸ線断面図
【図１０】図８におけるＸ−Ｘ線断面図
【発明を実施するための形態】
【００２２】
＜実施形態１＞
本明細書に開示された技術の実施形態１を、図１から図６を参照しつつ説明する。本実施形態に係る光ビーコン車載機１０は、図示しない車両に搭載されて、道路に設定された光ビーコン１１との間で双方向の光通信を行う。以下の説明においては、Ｚ方向を上方とし、Ｘ方向を右方とし、Ｙ方向を前方として説明する。なお、上記の方向は説明の便宜のために用いるのであって、本実施形態に係る光ビーコン車載機１０は、道路に設定された光ビーコン１１と光通信可能な範囲内で、車両に対して任意の姿勢で取り付けることができる。
【００２３】
図１に示すように、光ビーコン車載機１０は、ケース１２と、ケース１２内に収容された光通信素子１３と、を備える。ケース１２は、前方に開口するロアケース１４と、ロアケース１４に取り付けられてロアケース１４の開口部１６を塞ぐアッパーケース１５と、を備える。
【００２４】
（ケース１２）
ロアケース１４は、合成樹脂製であって、前方から見て、角の丸められた長方形状をなしている。ロアケース１４は、底壁１７と、底壁１７の側縁から前方に延びる側壁１８と、を有する。ロアケース１４の側壁１８によって、前方に開口する開口部１６が形成されている。開口部１６内には、回路基板１９が収容されている。
【００２５】
ロアケース１４は、光通信素子１３との光通信に使用される光を透過しない合成樹脂で形成されている。ロアケース１４は透光性制限部の一例である。ロアケース１４を形成する合成樹脂としては、ポリエチレン、ポリプロピレン等のポリオレフィン、ポリエチレンテレフタレート、ポリブチレンテレフタレート等のポリエステル、ナイロン６、ナイロン６６等のポリアミドなど、公知の合成樹脂を必要に応じて適宜に選択できる。
【００２６】
なお、本実施形態において光通信素子１３との光通信に使用される光の波長は、８００ｎｍ〜１０００ｎｍである。
【００２７】
図２に示すように、アッパーケース１５は、合成樹脂製であって、前方から見て、角の丸められた長方形状をなしている。アッパーケース１５の外形状は、ロアケース１４の外形状よりもやや大きく形成されている。アッパーケース１５は、上壁２０（対向壁の一例）と、上壁２０の側縁から後方に延びる内側壁２１及び外側壁２２と、を有する。ロアケース１４とアッパーケース１５とが組み付けられた状態において、ロアケース１４の側壁１８の内側に内側壁２１が位置し、ロアケース１４の側壁１８の外側に外側壁２２が位置するようになっている。
【００２８】
図５に示すように、ロアケース１４の側壁１８のロック部２３が形成されており、アッパーケース１５の外側壁２２にはロック部２３と対応する位置に、ロック部２３と弾性的に係合するロック受け部２４が形成されている。ロック受け部２４がロック部２３に弾性的に係合することにより、ロアケース１４とアッパーケース１５とが一体に組み付けられるようになっている。
【００２９】
（回路基板１９）
図１に示すように、回路基板１９は、前方から見て、ロアケース１４の開口部１６の孔縁よりもやや小さな略長方形状をなしている。回路基板１９にはプリント配線技術により図示しない導電路が形成されている。回路基板１９は、前方に面した前面２５と、後方に面した後面２６と、を有する。
【００３０】
光通信素子１３は、回路基板１９の前面２５に実装されている。光通信素子１３は導電路に、半田付け等の公知の手法により接続されている。
【００３１】
本実施形態においては、回路基板１９の前面２５には、左右方向に細長い２つの光通信素子１３が、上下方向に間隔を空けて並んで実装されている（図３参照）。上下に並ぶ２つの光通信素子１３の双方に、光送信素子と光受信素子とが含まれる構成としてもよいし、上下に並ぶ２つの光通信素子１３の一方に光送信素子が配されて、他方に光受信素子が配される構成としてもよい。
【００３２】
発光素子は、発光ダイオード等、公知の発光素子を用いることができる。また、受光素子は、フォトダイオード等、公知の受光素子を用いることができる。
【００３３】
光通信素子１３の前面２５は、光ビーコン１１から発信された光を受けたり、又は、光ビーコン１１に対して発信する光を発したりするようになっている。
【００３４】
（透光部２７）
図３、図４、及び図６に示すように、アッパーケース１５の上壁２０は、回路基板１９に実装された光通信素子１３と対向している。上壁２０には、前方から見て、中央よりもやや左下に下がった位置に、後方（光通信素子１３側）に凹んだ凹部２８が形成されている。
【００３５】
凹部２８の底部３３は、前方から見て長方形状をなしている。凹部２８の底部３３は、光通信素子１３との光通信に使用される光を透過する透光部２７とされる。透光部２７は、回路基板１９に実装された光通信素子１３と対向する領域に形成されている。
【００３６】
透光部２７を構成する合成樹脂（透光性樹脂）としては、ポリカーボネート、アクリル樹脂等、透光性を有する合成樹脂を適宜に選択できる。本実施形態においては、ポリカーボネートが用いられている。なお、本実施形態において、透光性を有するとは、光通信素子との光通信に使用される光を透過させることができることを意味する。
【００３７】
アッパーケース１５のうち、透光部２７と異なる部分は、光通信素子１３との光通信に使用される光を透過しない材料により形成された遮光部２９（透光性制限部の一例）とされる。遮光部２９を形成する合成樹脂（透光性制限樹脂）としては、ポリエチレン、ポリプロピレン等のポリオレフィン、ポリエチレンテレフタレート、ポリブチレンテレフタレート等のポリエステル、ナイロン６、ナイロン６６等のポリアミドなど、公知の合成樹脂を必要に応じて適宜に選択できる。遮光部２９を構成する合成樹脂と、ロアケース１４を構成する合成樹脂とは、同じであってもよいし、また、異なっていてもよい。透光性制限樹脂は、透光性樹脂に比べて透光性が低ければよく、透光性を有しない樹脂（遮光性を有する樹脂）であってもよい。
【００３８】
凹部２８には、底部３３の下側縁、左側縁、及び右側縁から前方に延びる側部３０が形成されている。側部３０は、透光部２７と同じ材料からなる内壁３０Ａと、遮光部２９と同じ材料からなる外壁３０Ｂと、を有する。これにより、凹部２８の側部３０は、光通信素子１３との光通信に使用される光を透過しないようになっており、透光性制限部の一例とされる。
【００３９】
上記したように、内壁３０Ａは、底部３３の側縁から前方に延びて形成されており、底部３３と内壁３０Ａとは一体に形成されている。一方、外壁３０Ｂは、上壁２０の遮光部２９ら後方に延びて形成されており、外壁３０Ｂと上壁２０の遮光部２９とは一体に形成されている。また、内壁３０Ａと外壁３０Ｂとは、積層された状態で一体に形成されている。
【００４０】
アッパーケース１５は、光通信素子１３との光通信に使用される光を透過する合成樹脂と、光通信素子１３との光通信に使用される光を透過しない合成樹脂と、をいわゆる二色成形することにより形成される。内壁３０Ａと外壁３０Ｂとが重なった領域は、二色成形における、二種類の合成樹脂が貼り合わされた部分となっている。
【００４１】
凹部２８の開口縁部３１は、前方から見て、上辺よりも下辺が長い台形状をなしている。凹部２８の開口縁部３１は、凹部２８の底部３３に比べて、やや大きく形成されている。換言すると、凹部２８の側部３０は、底部３３から開口縁部３１に向かうに従って（後方から前方に向かって）、拡開するように形成されている。これにより、道路に設置された光ビーコン１１との光通信に際して、光ビーコン車載機１０に収容された光通信素子１３と、光ビーコン１１との通信可能範囲が、光通信に係る規格を充足するようになっている。
【００４２】
透光部２７（凹部２８の底部３３）は、回路基板１９の前面２５と略平行に形成されている。また、凹部２８の底部３３は、光通信素子１３の前面と略平行に配されている。これにより、光ビーコン１１から発せられた光が透光部２７に反射して減衰することが抑制されるようになっている。また、光通信素子１３から発せられた光が透光部２７に反射して減衰することも抑制されるようになっている。
【００４３】
（実施形態の製造工程）
続いて、実施形態に係る光ビーコン車載機１０の製造工程に一例を示す。光ビーコン車載機１０の製造工程は、以下の記載に限定されない。
【００４４】
回路基板１９の導電路に光通信素子１３を半田付けすることにより、光通信素子１３を回路基板１９に実装する。
【００４５】
光通信素子１３との光通信に使用される光を透過しない合成樹脂を射出成型することにより、ロアケース１４を所定の形状に形成する。
【００４６】
続いて、光通信素子１３との光通信に使用される光を透過する合成樹脂と、光通信素子１３との光通信に使用される光を透過しない合成樹脂とを二色成形することにより、アッパーケース１５を所定の形状に形成する。
【００４７】
ロアケース１４の開口部１６内に、光通信素子１３が実装された回路基板１９を収容する。続いて、ロアケース１４の開口部１６を塞ぐようにアッパーケース１５を組み付ける。ロアケース１４のロック部２３と、アッパーケース１５のロック受け部２４とを弾性的に係合させることにより、ロアケース１４にアッパーケース１５を組み付ける。これにより、光ビーコン車載機１０が完成する。
【００４８】
（実施形態の作用、効果）
続いて、本実施形態の作用、効果について説明する。本実施形態は、ケース１２内に光通信素子１３が収容された光ビーコン車載機１０であって、ケース１２は、光通信素子１３と対向する上壁２０を有し、上壁２０は、少なくとも光通信素子１３と対向する領域に、光通信素子１３との光通信に使用される光を透過する透光部２７を有しており、対向壁のうち透光部２７と異なる領域には、光通信素子１３との光通信に使用される光の透光性が透光部２７よりも低い遮光部２９を有する。
【００４９】
上記の構成によれば、光ビーコン１１から発せられた光Ｌ１は、透光部２７を透過した後、光通信素子１３に到達するので、光通信を行うことができる。
【００５０】
一方、遮光部２９においては、透光部２７に比べて、光通信に使用される光がケース１２内に透過することが抑制される。これにより、光ビーコン１１と異なるノイズ源３２から、光通信素子１３との光通信に使用される周波数帯の光Ｌ２が発信された場合に、透光部２７と異なる部分からケース１２内に光Ｌ２が入射することを抑制することができる。これにより、光ビーコン車載機１０が誤認識することを抑制することができる。なお、ノイズ源３２としては、光ビーコン車載機１０が配された車両が走行している車線と異なる車線（例えば、対向車線）に設置された光ビーコン、街路灯、光を反射可能な物等、が挙げられる。
【００５１】
また、本実施形態によれば、透光性制限部は、光通信素子１３との光通信に使用される光を透過しない材料からなる。
【００５２】
透光部２７と異なる部分からケース１２内に光が入射することを確実に抑制することができるので、光通信素子１３が誤認識することを確実に抑制することができる。
【００５３】
また、光通信素子１３との光通信に使用される光を透過する材料は、上記の光を透過しない材料に比べて高価である。このため、上記の構成によれば、光通信素子１３との光通信に使用される光を透過する材料でケース１２全体を形成する場合に比べて、製造コストを低減することができる。
【００５４】
また、本実施形態によれば、ケース１２は、光通信素子１３が実装された回路基板１９を収容するロアケース１４と、ロアケース１４に組み付けられて光通信素子１３を覆うと共に、対向壁を有するアッパーケース１５と、を備え、ロアケース１４は、光通信素子１３との光通信に使用される光を透過しない材料からなる。
【００５５】
上記の構成によれば、光通信素子１３との光通信に使用される光を透過する材料でケース１２全体を形成する場合に比べて、製造コストを低減することができる。
【００５６】
また、本実施形態によれば、対向壁には、光通信素子１３と対向する部分において光通信素子１３側に凹んだ凹部２８が形成されており、凹部２８の底部３３が透光部２７とされており、凹部２８の側部３０は透光性制限部とされている。
【００５７】
上記の構成によれば、凹部２８の側部３０が透光性制限部とされているので、透光部２７と透光性制限部とが同一面上に形成された場合に比べて、ケース１２内に入射される光を、一層制限することができる。これにより、光通信素子１３の誤認識を一層抑制することができる。
【００５８】
更に、透光部２７と光通信素子１３との間隔を小さくすることができるので、ケース１２内において光が減衰することが抑制される。
【００５９】
また、本実施形態に係る光ビーコン車載機１０の製造方法は、光通信素子１３との光通信に使用される光を透過する透光性樹脂と、光通信素子１３との光通信に使用される光の透光性が透光性樹脂より低い透光性制限樹脂と、を二色成形することによって、透光性樹脂からなる透光部２７と、透光性制限樹脂からなる遮光部２９と、を備えたケース１２を形成するものである。
【００６０】
上記の構成によれば、透光性樹脂からなる透光部２７と、透光性制限樹脂からなる遮光部２９とを、別々に形成し、透光部２７と遮光部２９とを接着等によって固定する場合に比べて、二色成形により１つの工程でケース１２を形成することができるので、製造工数を減らすことができる。これにより、製造コストを低減することができる。
【００６１】
＜実施形態２＞
次に、本明細書に開示された技術の実施形態２に係る光ビーコン車載機５０を、図７から図１０を参照しつつ説明する。
【００６２】
本実施形態においては、アッパーケース５１は、光通信素子１３との光通信に使用される光を透過する合成樹脂（透光性樹脂）によって形成されている。アッパーケース５１の上壁５２は、前方から見て角の丸められた長方形状に形成されている。上壁５２は平坦な板状に形成されている。
【００６３】
上壁５２の前面５３には、光通信素子１３と対向する部分と異なる領域に、光通信素子１３との光通信に使用される光を乱反射させる乱反射部５４が設けられている。詳細には、上壁５２の前面５３のうち、光通信素子１３と対向する部分と異なる部分には、微細な凹凸（図示せず）が形成されている。この微細な凹凸によって、光が乱反射するようになっている。これにより、光通信素子１３との光通信に使用される光の透光性が抑制されるようになっている。
【００６４】
上壁５２の前面５３のうち、光通信素子１３と対向する部分は、光通信素子１３との光通信に使用される光を透過する透光部５５とされる。透光部５５は、図８において、上壁５２に記載された網掛けで示した。
【００６５】
上記した微細な凹凸は、例えば、上壁５２の前面５３において、透光部５５にのみ研磨加工を施し、透光部５５と異なる部分には研磨加工を施さないことによって形成することができる。また、アッパーケース５１を形成する際に、透光部５５と異なる部分に、いわゆるシボ面を形成してもよい。また、上壁５２の前面５３において、透光部５５と異なる部分に敢えて傷をつける構成としてもよい。
【００６６】
上記以外の構成については、実施形態１と略同様なので、同一部材については同一符号を付し、重複する説明を省略する。
【００６７】
上記の構成によれば、乱反射部５４において、光通信素子１３との光通信に使用される光が乱反射するので、乱反射部５４を透過する光の透光性を確実に低くすることができる。これにより、光ビーコン車載機５０の誤認識を抑制することができる。
【００６８】
＜他の実施形態＞
本明細書に開示された技術は上記記述及び図面によって説明した実施形態に限定されるものではなく、例えば次のような実施形態も本明細書に開示された技術の技術的範囲に含まれる。
【００６９】
（１）本実施形態に係るケース１２は、ロアケース１４とアッパーケース１５とが組み付けられる構成としたが、これに限られず、ケース１２は、３つ以上の部品が組み付けられる構成としてもよい。
【００７０】
（２）実施形態１に係るアッパーケース１５は、光通信素子１３との光通信に使用される光を透過する合成樹脂と、光通信素子１３との光通信に使用される光を透過しない合成樹脂とを二色成形することにより形成したが、これに限られず、アッパーケース１５は、光通信素子１３との光通信に使用される光を透過しない合成樹脂により形成した遮光部２９と、光通信素子１３との光通信に使用される光を透過する合成樹脂により形成した透光部２７と、接着、ネジ止め、ロック爪とロック受け部２４との係止構造等、公知の手法により一体に組み付ける構成としてもよい。
【００７１】
（３）本実施形態では、回路基板１９には２つの光通信素子１３が実装される構成としたが、これに限られず、１つ、又は３つ以上の光通信素子１３が実装される構成としてもよい。
【００７２】
（４）実施形態１においては、凹部２８の底部３３は前方から見て長方形状をなしていたが、これに限られず、凹部２８の底部３３は正方形状、長円形状等、必要に応じて任意の形状とすることができる。
【００７３】
（５）透光性制限部は、アッパーケースの上壁のうち、透光部と異なる部分に形成された、透光性が低い塗料又は透光性を有しない塗料からなる塗膜としてもよい。
【００７４】
（６）透光性制限部としては、光通信素子１３との光通信に使用される光の透光性が透光部よりも低いものであればよく、例えば、光通信素子１３との光通信に使用される光を透過する合成樹脂に、色素を混練したり、タルク、マイカ等のフィラーを混練することにより形成してもよい。
【符号の説明】
【００７５】
１０，５０：光ビーコン車載機
１２：ケース
１３：光通信素子
１４：（ロアケース透光性制限部）
１５，５１：アッパーケース
２０，５２：上壁（対向壁）
２７，５５：透光部
２８：凹部
２９：遮光部（透光性制限部）
３０：側部
３３：底部（透光部２７）
５４：乱反射部
【図１】
2017152828.tif 000003
【図２】
2017152828.tif 000004
【図３】
2017152828.tif 000005
【図４】
2017152828.tif 000006
【図５】
2017152828.tif 000007
【図６】
2017152828.tif 000008
【図７】
2017152828.tif 000009
【図８】
2017152828.tif 000010
【図９】
2017152828.tif 000011
【図１０】
2017152828.tif 000012